(57)【特許請求の範囲】
【請求項１】
施錠装置に挿入される板状の本体に、当該施錠装置の複数のタンブラに係合することで解錠及び施錠操作をし、少なくとも１つのタンブラと係合しないことで解錠及び施錠操作をする内溝の溝部が前記内溝に沿って組合せられてキーパターンを形成するキーであって、
前記係合しないタンブラに対応する位置に、当該対応するタンブラには係合しない非係合部が前記本体の縁端部に向けて前記内溝が切り欠かれた切り欠き部として形成されているキー。
【請求項２】
前記非係合部が形成されているか否かで、前記非係合部以外の内溝パターンが全て一致しても異なるキーパターンの組合せとして設定される請求項１に記載のキー。
【発明の詳細な説明】
【技術分野】
【０００１】
本発明は、キー及びこのキーにより操作される施錠装置に関する。
【背景技術】
【０００２】
従来、シリンダ錠等の施錠装置の施錠及び開錠操作をするためのキーとして、板状のプレート本体に内溝が形成されたキープレートがある。かかる内溝タイプのキープレートは、シリンダ錠のロータの前面に形成される鍵孔に挿入されることにより、ロータに設けられた複数のタンブラと内溝の端面とが係合し、挿入されたキープレートがシリンダ錠の正規のキーである場合に全てのタンブラがロータの外周面から退避することにより、ロータの回動操作が可能な状態となる（例えば特許文献１参照）。
【０００３】
かかる従来のキー及び施錠装置によると、施錠装置のタンブラの個数が例えば１０個とし、各タンブラに対応する位置におけるキーの内溝の段数が例えばａ，ｂ，ｃの３段に設定されるキーファミリーの場合、理論上、３１０の異なる種類のキーパターンの組合せが可能である。
【先行技術文献】
【特許文献】
【０００４】
【特許文献１】特開２００５−３４４３０５号  公報
【発明の概要】
【発明が解決しようとする課題】
【０００５】
しかし、現実にはキーによる誤作動を防ぐために、例えば２つのキーのうち内溝の１箇所の段位置のみが相違する等の非常に似通ったキー同士の設定をすることはできず、キーパターンの組合せ数は事実上制限されている。
【０００６】
また、キーパターンの組合せ数を多くするためには、例えばタンブラの間隔を狭くしてその個数を増やしたり、内溝の段数を増やしたりして内溝パターンを複雑化することが考えられる。しかし、その分、キーやシリンダ錠の精密な加工精度が要求される。
【０００７】
また、同一ファミリーのキー及びシリンダ錠を複数の異なる機器メーカに提供したり、異なる機種に用いたりする要請もあり、その場合にはキーの内溝パターンを非類似のグループに分けてそれぞれ別々に提供する必要がある。しかし、同一のキーファミリーのうち、必要とされる割合でどの程度キーの非類似性を確保して分類し提供すればよいのか、キーの内溝パターンごとにその類否性を定量的に判別し管理することは難しかった。
【０００８】
そこで、本発明の目的は、従来の内溝パターンの加工精度を変えることなくキーパターンの組合せ数を十分確保するとともに、異なる提供先ごとのキーパターンの管理を容易にすることができるキー及び施錠装置を提供することにある。
【課題を解決するための手段】
【０００９】
［１］上記目的を達成するため本発明は、施錠装置に挿入される板状の本体に、当該施錠装置の複数のタンブラに係合することで解錠及び施錠操作をし、少なくとも１つのタンブラと係合しないことで解錠及び施錠操作をする内溝の溝部が前記内溝に沿って組合せられてキーパターンを形成するキーであって、前記係合しないタンブラに対応する位置に、当該対応するタンブラには係合しない非係合部が前記本体の縁端部に向けて前記内溝が切り欠かれた切り欠き部として形成されているキーである。
【００１０】
[２]また、前記非係合部が形成されているか否かで、前記非係合部以外の内溝パターンが全て一致しても異なるキーパターンの組合せとして設定されるキーである。
【発明の効果】
【００１３】
本発明によれば、従来の内溝パターンの加工精度を変えることなくキーパターンの組合せ数を十分確保する。これと同時に、異なる提供先ごとのキーパターンの管理を容易にすることができる。
【図面の簡単な説明】
【００１４】
【図１】図１は、本発明の一の実施の形態によるキープレートの側面図である。
【図２】図２は、図１に示したキープレートと、これに対応するシリンダ錠の分解斜視図である。
【図３】図３は、図１に示したキープレートの位置Ｐ１とＰ６とを結ぶ線位置で切断した場合のシリンダ錠の縦断面図であって、正規のキープレートが挿入された状態を例示する図である。
【図４】図４は、図１に示したキープレートの位置Ｐ２とＰ７とを結ぶ線位置で切断した場合のシリンダ錠の縦断面図であって、正規のキープレートが挿入された状態を例示する図である。
【図５】図５は、図１に示したキープレートの位置Ｐ１とＰ６に相当する線位置で切断した場合のシリンダ錠の縦断面図であって、非正規のキープレートが挿入された状態を例示する図である。
【図６】図６（ａ）〜（ｉ）は、キープレートの他の実施の形態であって非係合部（切り欠き部）が図１に示した位置Ｐ２〜Ｐ１０に相当する位置に形成された例をそれぞれ示す図である。
【発明を実施するための形態】
【００１５】
以下、本発明に係るキー及び施錠装置の実施の形態として、車両等のドアの開閉やエンジン始動のイグニッションキー等に用いられるキープレート１と、キープレート１に対応するシリンダ錠２を図面を参照しながら説明する。
【００１６】
（キープレート）
図１は、本発明に係るキーの一つの実施の形態によるキープレート１の側面図である。キープレート１は、例えば、洋白等の銅合金により全体が板状に形成され、後述するシリンダ錠２に挿入される本体部１１と、シリンダ錠２に対し操作者が抜き差し及び回動操作をするための把持部１２とを有している。
【００１７】
キープレート１の本体部１１には、側面の所定範囲が一定の深さに刻まれ、キー山として機能する溝部としての内溝１３が挿入方向に沿って長く削成されている。なお、図１に示されるように、本実施の形態のキープレート１にあっては、シリンダ錠２に設けられる後述するタンブラ２０１〜２１０に対応する位置として、挿入方向の中心軸Ｘを挟む上下１０箇所の位置Ｐ１〜Ｐ１０がそれぞれ割り当てられて設定されるものとしている。また、位置Ｐ１を除く９箇所の位置Ｐ２〜Ｐ１０における内溝１３の上下方向（幅方向）端面が、３つの段ａ，ｂ，ｃの何れかの位置に設定されている。
【００１８】
一方、位置Ｐ１の部分には、本体部１１の縁端部に向けて内溝１３が切り欠かれた切り欠き部１０が形成されている。この切り欠き部１０は、対応するタンブラ２０１に係合する端面を有していない非係合部として形成されている。
【００１９】
また、本実施の形態では、キープレート１の反対側の面にも図１に示される内溝１３と上下対称の関係にある同一パターンの内溝１３が形成されている。すなわち、キープレート１を中心軸Ｘ周りで上下反転させても本体部１１の側面には同一パターンの内溝１３が表れるため、本体部１１を上下どちらから挿入してもシリンダ錠２の操作が可能となっている。
【００２０】
（シリンダ錠）
次に、キープレート１により解錠及び施錠操作されるシリンダ錠２の構成を説明する。図２は、キープレート１と、これに対応するシリンダ錠２の分解斜視図である。このシリンダ錠２は、円柱状のロータ２１と、ロータ２１を回動可能に収納する円筒状のシリンダ３１とを備えている。
【００２１】
ロータ２１は、シリンダ３１に収容された状態では前面が外部に露出し、その前面から軸方向内部にかけて、キープレート１が挿入される鍵孔２２が形成されている。また、ロータ２１には、タンブラ２０１〜２１０を収容するタンブラスリット２１１〜２２０が軸方向に沿って左右５箇所ずつ計１０箇所に配列して形成されている。図２において右側手前のタンブラスリット２１１〜２１５は、キープレート１が鍵孔２２から挿入された状態で前述の位置Ｐ１〜Ｐ５に対応する位置に形成され、左側奥のタンブラスリット２１６〜２２０は、キープレート１の位置Ｐ６〜Ｐ１０に対応する位置に形成されている。また、これらタンブラスリット２１１〜２２０は、ロータ２１の上面部から下面部にかけて貫通して形成されている。
【００２２】
シリンダ３１の前面部は、フランジ状のヘッド部３２が形成され、そのヘッド部３２の前面に、ロータ２１を摺動可能に収容するロータ孔３３が穿設されている。
図３は、図１に示されるキープレート１の位置Ｐ１とＰ６とを結ぶ線位置で切断した場合のシリンダ錠２の縦断面図である。また、図４は、キープレートの位置Ｐ２とＰ７とを結ぶ線位置で切断した場合のシリンダ錠２の縦断面図である。なお、図３と図４は、シリンダ錠２に対応する正規のキープレート１が挿入された場合の図である。
【００２３】
図３及び図４を参照し、ロータ孔３３の内周面においてタンブラスリット２１１，２１２，…に対応する位置には、ロックスリット３１１ａ、３１１ｂ，３１２ａ，３１２ｂ，…，３１６ａ，３１６ｂ，３１７ａ，３１７ｂ，…が削り取られて形成されている。
【００２４】
一方、ロータ２１のタンブラスリット２１１，２１２，…，２１６，２１７，…に収容されるタンブラ２０１，２０２，…，２０６，２０７，…は、それぞれキープレート１に向って突出する係合部２０１ａ，２０２ａ，…，２０６ａ，２０７ａ，…が形成されるとともに、コイルばね２３，２３，…により常時、ロータ２１の径方向（図では上方）に付勢されている。
【００２５】
タンブラ２０１，２０２，…，２０６，２０７，…がコイルばね２３，２３，…により付勢されることで、キープレート１が挿入されていない状態では、タンブラ２０２，…，２１６，２１７，…の上端部が各ロックスリット３１２ａ，…，３１６ａ，３１７ａ，…に挿入することにより、シリンダ３１に対するロータ２１の回動が規制（ロック）される。しかし、タンブラ２０１は、キープレート１が挿入されていない状態でも３１１ａに挿入しない。
【００２６】
図３及び図４に示すように、正規のキープレート１が挿入された場合には、タンブラ２０１以外のタンブラ２０２，…，２０６，２０７，…の各係合部２０２ａ，…，２０６ａ，２０７ａ，…が、キープレート１の内溝１３の対応する位置Ｐ２，…，Ｐ６，Ｐ７，…における端面と係合することにより、全てのタンブラ２０１〜２１０がロータ２１の外周面から退避する。これにより、ロータ２１は、シリンダ３１内で回動自在となり、解錠及び施錠操作が可能になる。
【００２７】
図５は、図３と同じくキープレート１の位置Ｐ１とＰ６に相当する線位置で切断した場合のシリンダ錠２の縦断面図である。ただし、当該シリンダ錠２には対応しない非正規のキープレート１’が挿入された状態を示している。
【００２８】
図５に示されるように、位置Ｐ１に相当する内溝にａ，ｂ，ｃのいずれかの段が形成された非正規のキープレート１’がシリンダ錠２に挿入されると、位置Ｐ１に対応するタンブラ２０１の係合部２０１ａがキープレート１’の内溝と係合する。このとき、タンブラ２０１が押し下げられ、その下端部がシリンダ３１のロックスリット３１１ｂに挿入する。これにより、ロータ２１がロックされ、回動操作が禁止される。
【００２９】
このように、本実施の形態のキープレート１及びシリンダ錠２によれば、シリンダ錠２のロータ２１にキープレート１の内溝１３と係合することで回動操作を許可する複数のタンブラ２０２〜２１０と、内溝１３と係合しないことで回動操作を許可する少なくとも１つのタンブラ２０１を設ける構成とした。これにより、キープレート１にタンブラ２０１に対応する切り欠き部１０（非係合部）が形成されているか否かでキーの組合せを区別することができるようになる。切り欠き部１０を有するキープレート１と、切り欠き部１０を有しないキープレート１’とは、仮に他の位置Ｐ２〜Ｐ１０での内溝パターンが全て一致していたとしても、互いに誤作動しない異なるキーパターンの組合せとして設定することができる。
【００３０】
これにより、例えば同一のタンブラ数と内溝の段数を有する同一ファミリーのキープレート及びシリンダ錠を、内溝の切り欠き部（非係合部）の有無の違いで分けて、それぞれ異なる種類の対象機器製品ごとに、又は異なるメーカごとに提供することができる。したがって、従来の内溝パターンを複雑化しなくても、同一のキーファミリー内で誤作動が生じない十分な数のキーパターンの組合せを設定することができる。また、異なる提供先ごとのキーパターンの管理を容易にすることができる。
【００３１】
以上、本発明の好適な実施の形態の一つを説明したが、本発明はこの形態に限定されるものではない。例えば、本実施の形態は、内溝タイプのキープレートで説明したが、外山タイプのキープレートにも同様に適用可能である。尚、図６（ａ）〜（ｉ）は、キープレートの切り欠き部（非係合部）が位置Ｐ２〜Ｐ１０に形成された例を示す図である。図６に示すように、非係合部としての切り欠き部は、シリンダ錠のタンブラに対応する任意の位置に形成してもよく、またいずれか１箇所に限定せず複数設けてもよい。
【符号の説明】
【００３２】
１…キープレート、１０…切り欠き部、１１…本体部、１２…把持部、１３…内溝、
２…シリンダ錠、２１…ロータ、２２…鍵孔、２３…コイルばね、２０１〜２１０…タンブラ、２０１ａ，２０２ａ，２０６ａ，２０７ａ…係合部、２１１〜２２０…タンブラスリット、３１…シリンダ、３１１ｂ，３１２ａ，３１２ｂ，３１７ａ，３１７ｂ…ロックスリット、３２…ヘッド部、３３…ロータ孔、
ａ，ｂ，ｃ…内溝の段、Ｐ１〜Ｐ１０…タンブラに対応する位置、Ｘ…挿入方向における中心軸
【図１】
0005535780.tif 000002
【図２】
0005535780.tif 000003
【図３】
0005535780.tif 000004
【図４】
0005535780.tif 000005
【図５】
0005535780.tif 000006
【図６】
0005535780.tif 000007